(57)【要約】【課題】  内周面に螺旋構造を備えるパチンコ玉の搬送パイプを回転自在に、かつ、安定して保持することができる保持装置を提供する。【解決手段】  内周面に螺旋構造を備えるパチンコ玉の搬送パイプ（１１７，１１９）を、円周方向の回転を許容しながら保持するための搬送パイプ保持装置（１）であって、保持すべき搬送パイプの外周面と転がり接触可能、かつ、協働して当該保持すべき搬送パイプの脱落を阻止可能に配した少なくとも３個のローラー（２７）により、当該保持すべき搬送パイプを保持可能に構成してある。ローラーによる転がり接触が、搬送パイプの安定した保持を実現する。【選択図】  図２
2005087573.tif 000002
【特許請求の範囲】
【請求項１】
内周面に螺旋構造を備えるパチンコ玉の搬送パイプを、円周方向の回転を許容しながら保持するための搬送パイプ保持装置であって、
保持すべき搬送パイプの外周面と転がり接触可能、かつ、協働して当該保持すべき搬送パイプの脱落を阻止可能に配した少なくとも３個のローラーにより、当該保持すべき搬送パイプを保持可能に構成してある
ことを特徴とする搬送パイプ保持装置。
【請求項２】
前記少なくとも３個のローラーのうち、少なくとも２個を回転自在に支持する保持基台と、
当該保持基台に対して開閉自在、かつ、当該少なくとも２個のローラー以外のローラーを回転自在に支持する開閉体と、を含み、
当該開閉体が開放状態のときに、当該開放により形成される隙間を介して保持すべき搬送パイプを着脱可能に構成してある
ことを特徴とする請求項１記載の搬送パイプ保持装置。
【請求項３】
前記保持基台が、保持すべき搬送パイプの長さ方向に対向する1対の保持側板と、当該両保持側板の間に位置する保持すべき搬送パイプの外周面に沿って湾曲する下側湾曲板と、当該下側湾曲板に形成した前記ローラーの個数と同じ個数の下側開口部と、を含み、当該両保持側板に支持された当該ローラーの各々の一部が当該下側開口部の各々を介して保持すべき搬送パイプ方向に突き出させてあり、
前記開閉体が、保持すべき搬送パイプの長さ方向に対向する１対の開閉側板と、当該両開閉側板の間に位置する保持すべき搬送パイプの外周面に沿って湾曲する上側湾曲板と、当該上側湾曲板に形成した前記ローラーの個数と同じ個数の上側開口部と、を含み、当該両開閉側板に支持された当該ローラーの各々の一部が当該上側開口部の各々を介して保持すべき搬送パイプ方向に突き出させてある
ことを特徴とする請求項２記載の搬送パイプ保持装置。
【請求項４】
前記開閉体は開閉方向一端側に設けたヒンジを介して前記保持基台に取り付けてあり、かつ、開閉方向他端側に設けたロック構造により当該保持基台にロック可能に構成してある
ことを特徴とする請求項２又は３記載の搬送パイプ保持装置。
【発明の詳細な説明】
【技術分野】
【０００１】
この発明は、内周面に螺旋構造を備えたパチンコ玉の搬送パイプを保持するための搬送パイプ保持装置に関するものであり、特に、この搬送パイプを円周方向に回転可能に保持するための搬送パイプ保持装置に関するものである。
【背景技術】
【０００２】
従来のパチンコ玉搬送手段として、特許文献１が開示するものがある。この従来技術は、保持通路内に貫通させた螺旋コイルと、この保持通路を囲むパチンコ玉通路群と、を設けてあり、螺旋コイルの一部がパチンコ玉通路群の各々内に突き出るように構成してある。そしてこの螺旋コイルの回転が各パチンコ玉通路内のパチンコ玉を搬送方向に送り出すようになっている。
【特許文献１】特開平１０−５２５５３号（段落００２０、図１参照）
【発明の開示】
【発明が解決しようとする課題】
【０００３】
しかしながら、従来のパチンコ搬送手段では、パチンコ玉から受ける衝撃により螺旋コイルが変形したり破損したりする場合が想定される。そこで、本出願人は、内周面に螺旋構造を備えた搬送パイプを円周方向に回転させることにより、内部に収納したパチンコ玉を搬送する手段を提案した（特願２００２−３６２９６６号）。本発明が解決しようとする課題は、上記搬送パイプが有する利点を損なうことないように、搬送パイプを回転自在に、かつ、安定して保持可能な搬送パイプ保持装置を提供することにある。
【課題を解決するための手段】
【０００４】
上記課題を解決するために本発明は、次の構成を備えている。なお、何れかの請求項に係る発明を説明するに当たって行う用語の定義等は、その性質上可能な範囲において他の請求項に係る発明にも適用されるものとする。
【０００５】
（請求項１記載の発明の特徴）
請求項１記載の発明に係る搬送パイプ保持装置は、内周面に螺旋構造を備えるパチンコ玉の搬送パイプを、円周方向の回転を許容しながら保持するための搬送パイプ保持装置である。そして、保持すべき搬送パイプの外周面と転がり接触可能、かつ、協働して当該保持すべき搬送パイプの脱落を阻止可能に配した少なくとも３個のローラーにより、当該保持すべき搬送パイプを保持可能に構成してあることを特徴とする。
【０００６】
請求項１の搬送パイプ保持装置によれば、少なくとも３個のローラーの協働により保持すべき搬送パイプを回転自在に、かつ、搬送パイプの脱落を阻止しながら保持することができる。すなわち、保持すべき搬送パイプを包囲するように配した少なくとも３個のローラーにより、この搬送パイプを回転自在に支持する。少なくとも３個のローラーを有しているのは、包囲した搬送パイプの回転を許容しながら、脱落させないために最低限必要な数だからである。したがって、仮にローラー数を３個としたときに各ローラーを単に３個並べるだけでは足りず、３個のローラーにより搬送パイプを脱落させずに保持できる間隔を介して配することが必要である。さらに、各ローラーは、搬送パイプ外周面と転がり接触するので、両者間に生じる摩擦は極力小さなものとなり、これらが相俟って搬送パイプの安定した保持を実現させる。
【０００７】
（請求項２記載の発明の特徴）
請求項２記載の発明に係る搬送パイプ保持装置は、請求項１の搬送パイプ保持装置であって、前記少なくとも３個のローラーのうち、少なくとも２個を回転自在に支持する保持基台と、当該保持基台に対して開閉自在、かつ、当該少なくとも２個のローラー以外のローラーを回転自在に支持する開閉体と、を含み、当該開閉体が開放状態のときに、当該開放により形成される隙間を介して保持すべき搬送パイプを着脱可能に構成してあることを特徴とする。
【０００８】
請求項２の搬送パイプ保持装置によれば、請求項１の搬送パイプ保持装置の作用効果に加え、搬送パイプの着脱を容易にすることができる。すなわち、開閉体を保持基台に対して開放状態にすることにより、所定の隙間が形成されるので、この隙間を介した出し入れにより搬送パイプの着脱を極めて簡単なものにすることができる。
【０００９】
（請求項３記載の発明の特徴）
請求項３記載の発明に係る搬送パイプ保持装置は、請求項２の搬送パイプ保持装置であって、保持基台と開閉体の各々に特徴を備えている。すなわち、前記保持基台が、保持すべき搬送パイプの長さ方向に対向する1対の保持側板と、当該両保持側板の間に位置する保持すべき搬送パイプの外周面に沿って湾曲する下側湾曲板と、当該下側湾曲板に形成した前記ローラーの個数と同じ個数の下側開口部と、を含み、当該両保持側板に支持された当該ローラーの各々の一部が当該下側開口部の各々を介して保持すべき搬送パイプ方向に突き出させてある。他方、前記開閉体が、保持すべき搬送パイプの長さ方向に対向する１対の開閉側板と、当該両開閉側板の間に位置する保持すべき搬送パイプの外周面に沿って湾曲する上側湾曲板と、当該上側湾曲板に形成した前記ローラーの個数と同じ個数の上側開口部と、を含み、当該両開閉側板に支持された当該ローラーの各々の一部が当該上側開口部の各々を介して保持すべき搬送パイプ方向に突き出させてある。
【００１０】
請求項３の搬送パイプ保持装置によれば、請求項２の搬送パイプ保持装置の作用効果が、上記構成により具体的に生じる。下側湾曲板と両保持側板は、もともと一体であってもよいし、別部材を何らかの方法により一体化させたものであってもよい。
【００１１】
（請求項４記載の発明の特徴）
請求項４記載の発明に係る搬送パイプ保持装置は、請求項２又は３の搬送パイプ保持装置であって、前記開閉体は開閉方向一端側に設けたヒンジを介して前記保持基台に取り付けてあり、かつ、開閉方向他端側に設けたロック構造により当該保持基台にロック可能に構成してあることを特徴とする。
【００１２】
請求項４の搬送パイプ保持装置によれば、請求項１又は２の搬送パイプ保持装置の作用効果に加え、開閉機能がヒンジにより、閉鎖したときの安定した搬送パイプの保持をロック機構により、それぞれ実現することができる。
【発明の効果】
【００１３】
この発明に係る搬送パイプ保持装置によれば、内周面に螺旋構造を備えるパチンコ玉の搬送パイプを回転自在に、かつ、安定して保持することができる。
【発明を実施するための最良の形態】
【００１４】
次に、各図を参照しながら、本発明の実施の形態（以下、「本実施形態」という）について説明する。図１は、搬送パイプを備えるパチンコ島の正面図である。図２は、搬送パイプ保持装置を備えた上部タンクの斜視図である。図３は、図２に示す上部タンクの右側面図である。図４は、上部タンク同士を連結する搬送パイプの平面図である。図５は、図４に示す搬送パイプの正面図である。図６は、搬送パイプの縦断面図である。図７は、搬送パイプ保持装置の斜視図である。図８及び９は、図７に示す搬送パイプ保持装置の右側面図である。図１０は、図７に示す搬送パイプ保持装置の平面図である。図１１は、図７に示す搬送パイプ保持装置の正面図である。図１２は、回転機構の斜視図である。
【００１５】
（搬送パイプ保持装置の使用例）
図２乃至５に基づいて、説明する。符合１００は、多数のパチンコ機を集合させてなるパチンコ島（図１参照）を、符号１０１は、パチンコ島１００内に設けたパチンコ玉を貯留するための上部タンクを示している。上部タンク１０１は、上から見た形状がほぼ矩形のタンクである。その側壁１０１ａの上部には、受入用切欠１０２ａを形成してある。受入用切欠１０２ａは、２点鎖線で示すパチンコ玉研磨機９９の排出口に対応させてあり、排出されたパチンコ玉を受け入れるための切欠である。側壁１０１ａと対向する側壁１０１ｂには、受入用切欠１０２ａと同形の受入用切欠１０２ｂを形成してある。受入用切欠１０２ｂは、上部タンク１０１を設置するパチンコ島１００の設置状態に合わせてパチンコ玉研磨機を図２に示す上部タンク１０１の手前側に設置する場合に使用する切欠である。本実施形態では、図２に示す上部タンク１０１の裏手側にパチンコ玉研磨機９９を設置したので、受入用切欠１０２ａを使用して受入用切欠１０２ｂは閉鎖板（図示を省略）により閉鎖してある。
【００１６】
上部タンク１０１内の上部には、受入用切欠１０２ａを通過したパチンコ玉をその上面で受け止めるための上段スロープ１０３と、上段スロープ１０３と下流側間隙１０５を介して段違いに配した下段スロープ１０６と、を設けてある。上段スロープ１０３は、下段スロープ１０６に向かって（図２の左方向に）緩やかに下り傾斜（通常は、５％程度）させてあり、上段スロープ１０３の上流端と上部タンク１０１の側壁１０１ｃとの間には、パチンコ玉が落下可能な上流側間隙１０４を形成してある。上流側間隙１０４は、上段スロープ１０３上にパチンコ玉が停滞し、その停滞パチンコ玉が上流端まで波及したときに停滞したパチンコ玉を落下させて停滞による玉詰まりを防止するための隙間である。
【００１７】
下段スロープ１０６も図２の左方向に緩やかに下り傾斜（通常は５％程度）させてあり、その上流端と上段スロープ１０３の下流端との間の下流側間隙１０５も、上流側間隙１０４と同じくパチンコ玉停滞防止用の隙間である。すなわち、上段スロープ１０３から落下したパチンコ玉は下段スロープ１０６上に落下して転動し上流側切欠１０７及び下流側切欠１０８から落下するが、後述する理由により落下が滞って下段スロープ１０６上にパチンコ玉が停滞し、その停滞が下段スロープ１０６の上流端にまで波及したときに停滞したパチンコ玉を落下させて停滞を解除させる働きを下流側間隙１０５が担っている。
【００１８】
上流側切欠１０７の下方には、落下するパチンコ玉を後述する搬送パイプ１１７に案内するための上流側シュート１１０が設けてある。下流側切欠１０８の下方には、落下するパチンコ玉を同じく後述する搬送パイプ１１７に案内するための下流側シュート１１１を設けてある。上流側シュート１１０と下流側シュート１１１とは、パチンコ玉の案内方向が異なるだけで基本構造が共通であるから、前者の構造についてだけ説明し、後者の説明は可能な範囲で省略する。すなわち、上流側シュート１１０は、図２に示すように、その導入口の形状が上流側切欠１０７の形状とほぼ同じに形成してあり、また、排出口の形状が搬送パイプ１１７の導入口とほぼ同じ大きさの円形に形成してある。このため、上流側切欠１０７から落下したパチンコ玉は、それらすべてが上部タンク１０１の側壁１０１ａ，１０１ｂに貫通させた導入孔（図示を省略）を介して搬送パイプ１１７内に導入可能になっている。同様に、下流側シュート１１１も下流側切欠１０８から落下したパチンコ玉のすべてを、導入口を介して搬送パイプ１１７内に導入可能な形状に形成してある。
【００１９】
（搬送パイプの構造）
図２乃至６に基づいて説明する。搬送パイプ１１７と搬送パイプ１１９は、図４及び５から理解されるように、パチンコ遊技場内に複数あるパチンコ島１００の上部タンク同士を連結している。その主な目的は、各上部タンクが貯留するパチンコ玉量の多い少ないに応じてパチンコ玉を融通し合わせることにより、各パチンコ島が保有するパチンコ玉を平均化することにある。搬送パイプ１１７は、自己の上部タンク１０１のパチンコ玉貯留量が比較的豊富である場合に、パチンコ玉研磨機９９により揚送したパチンコ玉の余剰分を他のパチンコ島へ搬送する役目を担っており、逆に、搬送パイプ１１９はパチンコ玉量が比較的不足する場合に他のパチンコ島からパチンコ玉の供給を受ける役目を担っている。本実施形態では、搬送パイプ１１７と搬送パイプ１１９とを、各２本づつ上部タンク１０１に設けてあるが、この数は、上部タンク１０１の貯留能力、パチンコ島１００が有するパチンコ機の台数、パチンコ遊技機の稼動時間の長短等に応じて適宜増減することができる。また、搬送パイプの増減のほかに、搬送パイプ自体の内径寸法を増減したり、管理装置（図示を省略）の制御により搬送パイプの回転速度を増減したりすることにより、搬送するパチンコ玉量の調整を図ることもできる。なお、搬送パイプ１１７と搬送パイプ１１９とは同じ構造を備えているので、前者についてのみ説明し後者の説明を省略する。
【００２０】
搬送パイプ１１７は、たとえば金属製としてもよいが、比較的軽量であり加工が容易であることから、本実施形態では合成樹脂製としてある。搬送パイプ１１７の内径及び肉厚は、それぞれパチンコ玉の搬送量に適した値に設定する。必要に応じて補強用の金属線等を内包させてもよい。搬送パイプ１１７は、その内周面に螺旋構造１１８を備えている。螺旋構造１１８のピッチは、パチンコ玉の直径よりも大きく設定してあり、上流搬送パイプ１１７を円周方向に回転させたときに螺旋構造の作用によりパチンコ玉を搬送できるように構成してある。
【００２１】
（搬送パイプ保持装置の構造）
図２乃至５に示す符号１は、搬送パイプ１１７及び搬送パイプ１１９を、それらの円周方向に回転自在に保持するための搬送パイプ保持装置（以下、単に「保持装置」という）を示している。各保持装置１は、上部タンク１０１の側壁１０１ａから側方に突き出すシェルフ１１３ａと、同じく側壁１０１ｂから側方に突き出すシェルフ１１３ｂと、の上にボルト固定してある。保持装置１の具体的な構造については、項を改めて説明する。
【００２２】
図２及び図７乃至１１に基づいて説明する。保持装置１は、保持基台３と、開閉体５とから概ね構成してある。開閉体５は開閉方向一端側に設けたヒンジ７を介して保持基台３に取り付けてあり、かつ、開閉方向他端側に設けたロック構造９により保持基台３にロック可能に構成してある。ヒンジ７は、図７及び８に示すように、後述する両保持側板１１，１１の間に固定したＬ字板１２ａと、同じく両開閉側板２１，２１の間に固定したＬ字板１２ｂと、を介してネジ固定してある。さらに、ロック構造９は、図８に示すＬ字板２２ａとＬ字板２２ｂと、を介してネジ固定してある。
【００２３】
（保持基台の構造）
まず、保持基台３について説明する。保持基台３は、保持すべき搬送パイプの長さ方向に対向する1対の保持側板１１，１１と、保持側板１１，１１の間に位置する下側湾曲板１３と、を備えている。保持側板１１は、長方形鉄板の上部を搬送パイプの外周面に沿って湾曲する半円状に切り欠くとともに、下端部を屈曲させてベース部１１ａを形成してある。一方の保持側板１１と他方の保持側板１１は、同形であるため、両者は同じ工程で製造することができる。符合１１ｂは、保持装置１をシェルフ１１３ａ，１１３ｂに固定するためのボルト用貫通孔を示している。下側湾曲板１３も鉄板により構成してあり、保持側板１１，１１の半円切欠の縁部に溶接固定してある。したがって、下側湾曲板１３も保持すべき搬送パイプの外周面に沿って半円状に湾曲している。下側湾曲板１３には、所定間隔を隔てて複数（本実施形態では３個）の下側開口部１５，・・を貫通形成してある。各下側開口部１５は、下側湾曲板１３の幅方向に細長い長方形に形成してある。これは、ローラー１７，・・の一部を内方（搬送パイプの方向）に向って突き出させるためである。３個あるローラー１７の各々は、そのうち１個を下側湾曲板１３の最下端（図８で時計の６時の位置）に配してあり、それを挟んで、他の２個は、下側湾曲板１３の曲率中心を中心として６０度づつ隔てた位置（図８で時計の４時と８時の位置）に配してある。
【００２４】
各ローラー１７は、両保持側板１１，１１間に保持させた支持軸１７ａに回転自在に取り付けてある。支持軸１７ａの保持は、Ｅリング１７ｂにより行っている。支持軸１７ａの軸方向は、搬送パイプの中心軸の方向とできるだけ平行となるように設定する。搬送パイプの回転とローラー１７の回転との間にブレを生じさせないようにするためである。各ローラー１７は、金属により構成することもできるが、比較的磨耗が少ないことと接触音が生じにくいことから合成樹脂により構成してある。摩擦係数をより大きくして搬送パイプ外周面との間のスリップを防ぐために、ローラー１７の表面に、たとえば、ローレット加工を施したり、ローラー１７の少なくとも外周部をゴム材により構成したりすることもよい。
【００２５】
（開閉体の構造）
次は、開閉体５について説明する。開閉体５は、保持すべき搬送パイプの長さ方向に対向する1対の開閉側板２１，２１と、開閉側板２１，２１の間に位置する上側湾曲板２３と、を備えている。開閉側板２１は、長方形鉄板の下部を搬送パイプの外周面に沿って湾曲する半円状に切り欠くとともに、上端部をアーチ状に形成することにより全体を馬蹄形に形成してある。一方の開閉側板２１と他方の開閉側板２１は、同形であるため、両者は同じ工程で製造することができる。上側湾曲板２３も鉄板により構成してあり、開閉側板２１，２１の半円切欠の縁部に溶接固定してある。したがって、前述した下側湾曲板１３と同様に上側湾曲板２３も保持すべき搬送パイプの外周面に沿って半円状に湾曲している。上側湾曲板２３には、所定間隔を隔てて複数（本実施形態では３個）の上側開口部２５，・・を貫通形成してある。前述した下側開口部１５と同様に各上側開口部２５は、上側湾曲板２３の幅方向に細長い長方形に形成してある。各上側開口部２５からは、ローラー２７，・・の一部を内方（搬送パイプの方向）に向って突き出ている。この突き出しは、前述したローラー１７の突き出しと同じ理由に基づくものである。各ローラー２７は、ローラー１７の構造と同じであり、Ｅリング２７ｂにより両開閉側板２１，２１に保持された支持軸２７ａに回転自在に支持させてある。なお、各ローラー２７の上側湾曲板２３からの突出量と、各ローラー１７の下側湾曲板１３からの突出量とを、ほぼ等しくなるように設定する。さらに、３個あるローラー２７の各々は、そのうち１個を上側湾曲板２３の最上端（図８で時計の１２時の位置）に配してあり、それを挟んで、他の２個は、上側湾曲板２３の曲率中心を中心として６０度づつ隔てた位置（図８で時計の２時と１０時の位置）に配してある。すなわち、図８から明らかなように、開閉体５に設けたローラー２７，・・は、保持基台３に設けたローラー１７，・・と上下対称の関係を形成する。
【００２６】
ここで、図７及び８に示すように、保持基台３に対して開閉体５を閉鎖状態にしてロック構造９をロック状態にすると、下側湾曲板１３と上側湾曲板２３とが合わさって断面形状が円形の短尺パイプが形成される。これに加え、各ローラー２７の上側湾曲板２３からの突出量と、各ローラー１７の下側湾曲板１３からの突出量とを、ほぼ等しくなるように設定してあるため、各ローラー１７，２７の外周に接する円が搬送パイプの外形より僅かに小さな正円を形成する。さらに、上述したように、ローラー２７，・・と、ローラー１７，・・とは、上下対称の関係を形成している。この結果、保持装置１に搬送パイプを保持させたときに、この搬送パイプと接触するのは６個のローラー１７，・・２７，・・のみであり、これらの各ローラーが円周方向に回転する搬送パイプと転がり接触しながら適度な圧力を加える。転がり接触により搬送パイプとの接触抵抗を能率的に低減できるし、しかも、加える圧力がほぼ一定であるため、回転させる搬送パイプの半径方向への移動を有効に規制して回転ブレを可及的に防止することができる。
【００２７】
なお、本実施形態では、６個のローラー１７，・・２７，・・により搬送パイプを保持するように構成してあるが、本発明の目的を達成可能な範囲であればローラーの個数を変更せずに前述した位置関係を変更することを妨げない。さらに、ローラーの個数を増減してもよい。ローラーは、少なくとも３個あれば足り、たとえば、３個とした場合は、そのうち２個を保持基台３側に設けるとともに、残りの１個を開閉体５側に設け、３個のローラーを結んだ線により正三角形や二等辺三角形ができるように配置する。各ローラー間のバランスをとることにより、搬送パイプの回転ブレを抑えるためである。
【００２８】
（搬送パイプの回転機構）
図２及び１２を参照しながら説明する。回転機構５１は、モーター５３と、モーター５３の出力軸に連結したギヤボックス５５と、ギヤボックス５５の出力軸に固定した駆動ホイール５７と、駆動ホイール５７と歯付きベルト５９により連結した従動ホイール６１と、により概ね構成してある。ギヤボックス５５は支持台５２を介して上部タンク１０１に固定してあり、従動ホイール６１は、搬送パイプ１１７の外周に固定してある。以上の構成により、モーター５３の回転がギヤボックス５５により減速されて駆動ホイール５７を回転させ、駆動ホイール５７の回転が歯付きベルト５９により従動ホイール６１に伝達される。従動ホイール６１が回転すると、これに伴い搬送パイプ１１７が円周方向に回転する。搬送パイプ１１７は、これを保持する保持装置１の各ローラー１７，・・２７，・・の転がり接触を受けつつ回転する。保持装置１が搬送パイプ１１７の円周方向の回転を許容しつつ半径方向の移動を規制するため、すなわち、回転ブレを防止するため、歯付きベルト５９に加わる負荷がほぼ一定に保たれる。搬送パイプ１１９を円周方向に回転させる回転機構も、上記回転機構５１と同じ構造を備えている。
【図面の簡単な説明】
【００２９】
【図１】搬送パイプを備えるパチンコ島の正面図である。
【図２】搬送パイプ保持装置を備えた上部タンクの斜視図である。
【図３】図２に示す上部タンクの右側面図である。
【図４】上部タンク同士を連結する搬送パイプの平面図である。
【図５】図４に示す搬送パイプの正面図である。
【図６】搬送パイプの縦断面図である。
【図７】搬送パイプ保持装置の斜視図である。
【図８】図７に示す搬送パイプ保持装置の右側面図である。
【図９】図７に示す搬送パイプ保持装置の右側面図である。
【図１０】図７に示す搬送パイプ保持装置の平面図である。
【図１１】図７に示す搬送パイプ保持装置の正面図である。
【図１２】回転機構の斜視図である。
【符号の説明】
【００３０】
１                保持装置
３                保持基台
５                開閉体
７                ヒンジ
９                ロック構造
１１                保持側板
１３                下側湾曲板
１５                下側開口部
１７                ローラー
２１                開閉側板
２３                上側湾曲板
２５                上側開口部
２７                ローラー
１７ａ，２７ａ      支持軸
１７ｂ，２７ｂ      Ｅリング
５１                回転機構
５２                支持台
５３                モーター
５５                ギヤボックス
５７                駆動ホイール
５９                歯付ベルト
６１                従動ホイール
９９                パチンコ玉研磨機
１００                パチンコ島
１０１                上部タンク
１０２ａ，１０２ｂ    受入用切欠
１０３                上段スロープ
１０４                上流側間隙
１０５                下流側間隙
１０６                下段スロープ
１０７                上流側切欠
１０８                下流側切欠
１１０                上流側シュート
１１１                下流側シュート
１１７，１１９        搬送パイプ
１１８                螺旋構造
【図１】
2005087573.tif 000003
【図２】
2005087573.tif 000004
【図３】
2005087573.tif 000005
【図４】
2005087573.tif 000006
【図５】
2005087573.tif 000007
【図６】
2005087573.tif 000008
【図７】
2005087573.tif 000009
【図８】
2005087573.tif 000010
【図９】
2005087573.tif 000011
【図１０】
2005087573.tif 000012
【図１１】
2005087573.tif 000013
【図１２】
2005087573.tif 000014